(57)【要約】【課題】製本機を大型化することなく、かつ製本用粘着テープによる製本を可能にする製本用粘着テープを提供すること。【解決手段】表面に粘着剤層３ａが形成され、前記粘着剤層３ａの上に接着剤を塗着して冊子の背面とその両側面端部を囲繞して綴じる製本用粘着テープ３であって、冊子の背面とその両側面端部を囲繞するとともに、少なくとも一方の側面側領域４ａが前記冊子の小口にまで延びる台紙４を有し、前記台紙の背面位置４ｂに前記製本用粘着テープ３の裏面を粘着剤層６で接着してなること、これにより製本に際し表紙と同様に扱うことができ、製本用テープによる製本のための機構を設ける必要がなくなる。【選択図】　図１
2004050556.tif 000002
【特許請求の範囲】
【請求項１】
表面に粘着剤層が形成され、前記粘着剤層の上に接着剤を介して冊子の背面とその両側面端部を囲繞して綴じる製本用粘着テープであって、冊子の背面とその両側面端部を囲繞するとともに、少なくとも一方の側面側は前記冊子の小口に延びる台紙を有し、前記台紙の背面位置に前記製本用粘着テープの裏面を粘着剤層を介して接着してなることを特徴とする台紙付き製本用粘着テープ。
【請求項２】
製本用粘着テープの表面上の粘着剤層を剥離紙で覆ってなることを特徴とする請求項１記載の台紙付き製本用粘着テープ。
【発明の詳細な説明】
【０００１】
【発明の属する技術分野】
本発明は、製本用粘着テープに関するものである。
【０００２】
【従来の技術】
製本には、図１１に示すように冊子１の背面１ａにホットメルト接着剤２を塗着し、冊子１の背面１ａとその両側面端部１ｂの外周面を、表面に粘着剤層３ａが形成された製本用粘着テープ３で囲繞して綴じる場合がある。この場合、ロール状に巻き取られた製本用粘着テープを、製本する冊子の背面の長さに対応する長さ分取り出して断裁し、断裁した製本用粘着テープ３を粘着剤層側３ａを上面にしてニッピング機構上に載置する。そして、ニッピング機構上に載置した製本用粘着テープ３の上方に、背面１ａにホットメルト接着剤２を塗着した冊子１を位置させ、ニッピング機構を上昇して製本用粘着テープ３を接着剤２を塗着した冊子１の背面１ａに押し当て、製本用粘着テープ３の両側の端部をそれぞれ冊子１の背面側の両側面端部１ｂに押し当てて製本する。
【０００３】
【発明が解決しようとする課題】
ところで、このような製本用粘着テープによる製本を製本機で行なうためには、製本用粘着テープを所定の長さ送り出して断裁する機構や断裁した製本用粘着テープをニッピング機構へ搬送する搬送機構を別途設ける必要があり、製本機を大型化するという問題があった。
【０００４】
本発明は、このような問題を解消すべくなされたもので、製本機を大型化することなく、かつ製本用粘着テープによる製本を可能にする製本用粘着テープを提供することを目的とする。
【０００５】
【課題を解決するための手段】
請求項１に係る本発明は、表面に粘着剤層が形成され、前記粘着剤層の上に接着剤を塗着して冊子の背面とその両側面端部を囲繞して綴じる製本用粘着テープであって、冊子の背面とその両側面端部を囲繞するとともに、少なくとも一方の側面側は前記冊子の小口に延びる台紙を有し、前記台紙の背面位置に前記製本用粘着テープの裏面を粘着剤層を介して接着してなることを特徴とする。
【０００６】
請求項２に係る本発明は、請求項１に係る本発明において、製本用粘着テープの表面上の粘着剤層を剥離紙で覆ってなることを特徴とする。
【０００７】
本発明では、表面に粘着剤層が形成された製本用テープの裏面に、冊子の背面とその両側面端部を囲繞するとともに、少なくとも一方の側面側は前記冊子の小口に延びる台紙の背面位置に粘着剤層により接着しているので、製本に際し表紙と同様に扱うことができ、製本用テープによる製本のための機構を設ける必要がなくなる。また、製本用粘着テープの表面の粘着剤層を剥離紙で覆うことによって重ね置くことができる。
【０００８】
【発明の実施の形態】
次に、本発明の実施の形態に係る台紙付き製本用粘着テープについて、図を参照して説明する。図１（ａ）は実施の形態に係る台紙付き製本用粘着テープの平面図、図１（ｂ）は同側面図である。なお、図１１に示す製本物と同一部分には同一の符号を付している。
【０００９】
図１において、３は粘着剤層３ａを形成した製本用粘着テープ、４は台紙、５は剥離紙、６は軟粘着剤層である。台紙４は３つの領域４ａ、４ｂ、４ｃを有し、領域４ａはこの例では製本機に挿入する側で製本する冊子の小口にまで延びる領域、４ｂは製本する冊子の背面部に対応する領域、４ｃは余剰領域である。冊子の背面部に対応する領域４ｂには、軟粘着剤層６により、表面に粘着剤層３ａを有する製本用粘着テープ３が貼り付けられている。粘着剤層３ａの上面には剥離紙５が設けられている。
【００１０】
以上のように構成した台紙付き製本用粘着テープ３により製本を行なう場合、図２に示すように、製本機７の表紙挿入口１２から剥離紙５を剥離して台紙４の領域４ａの先端を挿入する。なお、図２において８はホットメルト接着剤をシート状に形成した接着剤シート、９は冊子を保持するクランプ板、１０は製本後の冊子を受ける冊子受け、１１は操作盤である。クランプ板９は図３に示すように、図示で左右に移動可能に構成したクランパユニット１２に保持されている。
【００１１】
クランパユニット１２には、先端に接着剤シート８を突き刺し保持するピックアップ針１３ａを備えたピックアップアーム１３の一端が例えばバネを介して保持されている。ピックアップ針１３ａが断裁刃１４の近傍位置に位置するとき、クランプ板９は、昇降可能のニッピング機構１５のニッピング板１５ｃ間に位置する底板１５ａ（図３では加熱底板、１５ｂは冷却底板）の上方に位置する。
【００１２】
断裁刃１４の手前には、接着剤シート８を断裁刃１１の下方に所定幅（冊子の背面幅に対応した幅）毎送り込む送りローラ１６が配置され、表紙挿入口１２（図２参照）の近傍位置に、ねじ軸１７に沿って表紙を製本機内部に引き入れるチャックが配置されており、表紙挿入口１２から挿入した台紙４の先端をこのチャック１６に固定する。
【００１３】
この製本機７による製本は、図４に示すようにニッピング機構１５を上昇し加熱底板１５ａをレベル板として製本する冊子１をクランプ板９に挿入し、その冊子１をクランプ板９で保持する。冊子１をクランプ板９で保持したとき、その冊子１の厚みを検出器１９で検出し、送りローラ１６を駆動してその厚みに応じた幅の接着剤シート８を断裁刃１４の下方に送りだし、断裁刃１４を下降駆動して接着剤シート８を断裁する。同時にピックアップ針１３ａを下降して断裁した接着剤シート８を突き刺し、図５に示すように持ち上げ、ニッピング機構１５を下降する。
【００１４】
そして、図６に示すようにクランパユニット１２を左方向に移動し、同時に製本用粘着テープ３を貼り付けた台紙４を引き入れ、加熱底板１５ａの上面に製本用粘着テープ３およびピックアップ針１３ａで突き刺し保持した接着剤シート８を位置させ、ピックアップ針１３ａを下降して図７に示すように、接着剤シート８を製本用粘着テープ３上にセットする。そのあと、クランパユニット９を右方向に移動して元の状態に戻し、ニッピング機構１５を上昇して加熱底板１５ａを冊子１の背面に押し当て接着剤シート８を加熱溶融し、同時に冊子１の背面とその両側面端部を、ニッピング板１５ｃで締め付ける。
【００１５】
ついで、図８に示すようにニッピング機構１５を下降し、加熱底板１５ａと冷却底板１５ｂとを入れ換えてニッピング機構１５を上昇して冷却底板１５ｂを冊子１の背面に押し当て加熱溶融した接着剤８を冷却硬化させ、ニッピング機構１５を下降し、図９に示すようにクランパユニット１２を左方向に移動して、製本用粘着テープ３を貼り付けた冊子１をクランプ板９から排出する。この排出で図１０に示すように台紙４は剥がれ、冊子１の製本用粘着テープ３による製本は完成する。
【００１６】
なお、以上の説明では接着剤シートを用いて製本するものであるが、加熱溶融したホットメルト接着剤をローラなどによって冊子の背面に塗着するものであっても良い。
【００１７】
【発明の効果】
以上説明したように、本発明によれば製本用粘着テープを粘着剤で台紙に貼り付けているので、製本に際し表紙と同様に扱うことができ、製本用テープによる製本のための機構を設ける必要がなくなり、製本用粘着テープによる製本を可能にする製本機の簡素化が図れる。
【図面の簡単な説明】
【図１】本発明の実施の形態に係る台紙付き製本用粘着テープで（ａ）は平面図、（ｂ）は側面図である。
【図２】製本機の外観斜視図である。
【図３】図２に示す製本機の内部の概略構成図である。
【図４】図２に示す製本機による製本手順の説明図である。
【図５】図２に示す製本機による製本手順の説明図である。
【図６】図２に示す製本機による製本手順の説明図である。
【図７】図２に示す製本機による製本手順の説明図である。
【図８】図２に示す製本機による製本手順の説明図である。
【図９】図２に示す製本機による製本手順の説明図である。
【図１０】図２に示す製本機による製本手順の説明図である。
【図１１】製本用粘着テープによる製本物の側面図である。
【符号の説明】
３　製本用粘着テープ
３ａ　粘着剤層
４　台紙
５　剥離紙
６　軟粘着剤層
【図１】
2004050556.tif 000003
【図２】
2004050556.tif 000004
【図３】
2004050556.tif 000005
【図４】
2004050556.tif 000006
【図５】
2004050556.tif 000007
【図６】
2004050556.tif 000008
【図７】
2004050556.tif 000009
【図８】
2004050556.tif 000010
【図９】
2004050556.tif 000011
【図１０】
2004050556.tif 000012
【図１１】
2004050556.tif 000013